(57)【要約】【課題】溶接用ワイヤを交換する際の再調整を不要にした溶接用ワイヤの矯正装置を提供する。【解決手段】回転自在の２個の受けローラと、該２個の受けローラの中間位置に、２個の受けローラと対向して配置され、回転自在、かつ受けローラに接離自在の加圧ローラとからなる溶接用ワイヤの矯正装置において、加圧ローラの移動機構を有し、移動機構を操作することによって、弾性部材の付勢力に抗して加圧ローラが受けローラから離れ、移動機構の操作を解除することによって、加圧ローラが弾性部材の付勢力によって復帰するものとした。【選択図】図１
2017087290.tif 000002
【特許請求の範囲】
【請求項１】
隣接して配置され、回転自在の２個の受けローラと、該２個の受けローラの中間位置に、２個の受けローラと対向して配置され、回転自在、かつ受けローラに接離自在の加圧ローラとからなる溶接用ワイヤの矯正装置において、加圧ローラの移動機構を有し、移動機構を操作することによって、弾性部材の付勢力に抗して加圧ローラが受けローラから離れ、移動機構の操作を解除することによって、加圧ローラが弾性部材の付勢力によって復帰することを特徴とした溶接用ワイヤの矯正装置。
【請求項２】
前記加圧ローラを回転自在、かつ前記受けローラに接離自在に取付ける調整機構をベースに取付ける固定部材を、前記弾性部材によって、加圧ローラが受けローラに接近する方向に付勢したことを特徴とした請求項１に記載の溶接用ワイヤの矯正装置。
【発明の詳細な説明】
【技術分野】
【０００１】  本発明は、アーク溶接に用いられる溶接用ワイヤの曲り癖を矯正するための溶接用ワイヤの矯正装置に関するものである。
【背景技術】
【０００２】  アーク溶接は、図６に示すように、ワイヤリールやワイヤパック５１から送給される溶接用ワイヤ５２を送給装置５３によって、アーク溶接のトーチ５４に送給し、トーチ５４に取付けられたコンタクトチップ５５に挿通して、溶接箇所に送給される。この際溶接用ワイヤ５２はコンタクトチップ５５と接触してコンタクトチップ５５から給電され、溶接するものであるが、溶接用ワイヤ５２のバラツキのある不規則な曲り癖によって溶接用ワイヤ５２をスムーズに送給できないため、送給装置５３の前に矯正装置５６によって、溶接用ワイヤ５２の巻癖を適正に矯正するとともに、溶接用ワイヤ５２を所定の曲率半径に曲げることによりスムーズに溶接用ワイヤ５２を送給していた。【０００３】  従来、溶接用ワイヤの矯正装置として、図７に示すように、隣接して配設され、回転自在の２個の受けローラ５７、５７と該２個の受けローラ５７、５７の中間位置に、２個の受けローラ５７、５７と対向して配設され、回転自在、かつ上下動自在な加圧ローラ５８とからなる矯正部を有し、調整用のノブ５９を回動することによりねじ軸６０に螺合された加圧ローラ５８を上下動して、受けローラ５７、５７と加圧ローラ５８との間隔を調整することによって溶接用ワイヤの巻癖を適正に矯正するとともに、溶接用ワイヤを所定の曲率半径に曲げるようにしていた。
【先行技術文献】
【特許文献】
【０００４】
【特許文献１】特開２０１１−１７７７４４号
【発明の概要】
【発明が解決しようとする課題】
【０００５】    前記のものでは、溶接用ワイヤ５２を交換する場合、ノブ５９を反時計方向に回動して加圧ローラ５８を下げて受けローラ５７、５７と加圧ローラ５８との間隔を広げて溶接ワイヤを外し、新しい溶接用ワイヤを矯正装置５６に挿通した後、ノブ５９を時計方向に回動して加圧ローラを上げて、溶接用ワイヤの巻癖を適正に矯正するとともに、溶接ワイヤを所定の曲率半径に曲がるように再調整する必要があり、再現性が困難であるという問題があった。【０００６】  本発明は、前記の問題を解決し、溶接用ワイヤを交換する際の再調整を不要にした溶接用ワイヤの矯正装置を提供することを目的とする。
【課題を解決するための手段】
【０００７】  上記課題を解決するためになされた本発明の溶接用ワイヤの矯正装置は、隣接して配置され、回転自在の２個の受けローラと、該２個の受けローラの中間位置に、２個の受けローラと対向して配置され、回転自在、かつ受けローラに接離自在の加圧ローラとからなる溶接用ワイヤの矯正装置において、加圧ローラの移動機構を有し、移動機構を操作することによって、弾性部材の付勢力に抗して加圧ローラが受けローラから離れ、移動機構の操作を解除することによって、加圧ローラが弾性部材の付勢力によって復帰することを特徴とするものである。【０００８】  前記加圧ローラを回転自在、かつ前記受けローラに接離自在に取付ける調整機構をベースに取付ける固定部材を、前記弾性部材によって、加圧ローラが受けローラに接近する方向に付勢したものであることが好ましく、これを請求項２に係る発明とする。
【発明の効果】
【０００９】  請求項１の発明では、加圧ローラの移動機構を有し、移動機構を操作することによって、弾性部材の付勢力に抗して加圧ローラが受けローラから離れ、移動機構の操作を解除することによって、加圧ローラが弾性部材の付勢力によって復帰するようにしたことにより、溶接用ワイヤを交換する際の再調整を不要にして、溶接用ワイヤの交換が容易にできるという効果がある。【００１０】  請求項２の発明では、前記加圧ローラを回転自在、かつ前記受けローラに接離自在に取付ける調整機構をベースに取付ける固定部材を、前記弾性部材によって、加圧ローラが受けローラに接近する方向に付勢したことにより、簡単な構成により、溶接用ワイヤを交換する際の再調整を不要にして、溶接用ワイヤの交換が容易にできるという効果がある。
【図面の簡単な説明】
【００１１】
【図１】本発明の実施形態を示す正面図。
【図２】図１のレバーを押した状態の正面図。
【図３】図１の状態の切欠き裏面図。
【図４】図２の状態の切欠き裏面図。
【図５】加圧ローラの上下動を説明するための一部切欠き側面図。
【図６】アーク溶接の説明図。
【図７】従来の矯正装置の正面図。
【発明を実施するための形態】
【００１２】  以下、本発明の好ましい実施の形態について図１乃至図５に基づいて説明すると、１はベース板２と左右側面板３、３とから略コ字形に形成されたベースであり、ベース板２の左右方向略中央には下端が開放された逆Ｕ字形の切欠き４が形成され、また下端面の、略Ｕ字形切欠き４の下端開放部の両側にねじ穴５、５が設けられるとともに、上端には中央部に円弧状の凹部６を設けた溝７が形成され、該溝７の円弧状凹部６の中央部には逆Ｕ字形切欠き４に連通した貫通孔８が設けられている。尚、ベース１には、図示されていないが、前面板と上下側面板とから略コ字形に形成された透明カバーが取付けられている。
【００１３】  ９、９はベース板２に回転自在に取付けられた受けローラであり、受けローラ９、９は左右方向に隣接して２個取付けられている。
【００１４】  １０は外周端面全周に渡って係合溝１１が形成され、２個の受けローラ９、９の中間位置で、受けローラ９、９の下方に配置された加圧ローラであり、加圧ローラ１０は回転自在、かつ上下動自在、即ち、受けローラ９、９に接離自在に取付けられている。
【００１５】  １２は加圧ローラ１０を上下動させるための調整機構であり、調整機構１２は表面に加圧ローラ１０が回転自在に取付けられ、ベース板２の表面に沿って摺動自在な六角形の表面側摺動板１３と、該表面側摺動板１３に対向し、ベース板２の裏面に沿って摺動可能な六角形の裏面側摺動板１４と、表面側摺動板１３と裏面側摺動板１４を逆Ｕ字形切欠き４を通して連結し、中央にねじ穴１５を設けた連結板１６にて形成された摺動部材１７と、先端にねじ部１８と、中間に太径部１９とそれに続く細径部２０と、基端側のねじ部２１とからなり、基端にノブ２２を固着した軸部材２３と、軸部材２３をロックするためのロックナット２４と、中央に軸部材２３の細径部２０より大径で太径部１９より小径な貫通孔２５を有し、該貫通孔２５の両側に、前記ベース板２の下端面に形成したねじ穴５、５に対応する貫通孔２６、２６を設けた板状の固定部材２７と、先端にねじ部２８を有する頭付ピン部材２９、２９と固定部材２７と頭付ピン部材２９、２９との間に介装され、固定部材２７を常に上方向に付勢する圧縮コイルバネからなる弾性部材３０、３０とから構成されている。
【００１６】  尚、調整機構１２は、軸部材２３の基端を固定部材２７の略中央貫通孔２５に太径部１９まで嵌入し、基端側のねじ部２１にロックナット２４を螺合したのち、基端にノブ２２を固着するとともに、先端のねじ部１８を摺動部材１７の表面側摺動板１３と裏面側摺動板１４を逆Ｕ字形切欠き４を通して連結した連結板１６のねじ穴１５に螺合し、頭付ピン部材２９、２９に弾性部材３０、３０を嵌装し、固定部材２７の両端の貫通孔２６、２６を介してベース板２の下端面のねじ穴８に螺合してベース板２に取付ける。
【００１７】  ３１は加圧ローラ１０を調整機構１２の弾性部材３０、３０の付勢力に抗して押し下げる加圧ローラ１０の移動機構である押下げ機構であり、押下げ機構３１は、溝７内に、先端をピン３２にて回動自在に枢支され、中央部下面に溝７の円弧状凹部６に嵌る円弧状凸部３３が形成されたレバー３４と、一端をレバー３４の円弧状凸部３３に対応し、溝７の貫通孔８を貫通して他端を調整機構１２の軸部材２３の先端面に対応した押下げ軸３５から構成されている。
【００１８】  次に、本発明の矯正装置による溶接用ワイヤの矯正方法について説明すると、ノブ２２を時計方向に回動して加圧ローラ１０を下げ、受けローラ９、９と加圧ローラ１０との間の間隔を広げた後に、溶接用ワイヤ３６を左側面板３の入線孔３７から入線し、受けローラ９、９と加圧ローラ１０との間を通して左側面板３の出線孔３８から出線し、溶接用ワイヤ３６を加圧ローラ１０の係合溝１１に係合する。その後、ノブ２２を反時計方向に回動し、加圧ローラ１０を上げ、溶接用ワイヤ３６の巻癖が適正に矯正され、かつ溶接ワイヤ３６を所定の曲率半径になるように受けローラ９、９と加圧ローラ１０の間の隙間を調整する。調整が完了したらロックナット２４を固定部材２７に締付け、軸部材２３が回動しないように固定する。
【００１９】  さらに、本発明の矯正装置の溶接用ワイヤの交換方法について説明すると、押下げ機構３１のレバー３４を押下げてレバー３４の円弧状凸部３３により押下げ軸３５を介して調整機構１２の軸部材２３の先端面を押圧して、調整機構１２の固定部材２７に掛かる弾性部材３０、３０の付勢力に抗して調整機構１２を押下げ、受けローラ９、９と加圧ローラ１０の隙間を広げて溶接ワイヤ３６を外した後、新しい溶接用ワイヤ３６を挿通し、レバー３４の押下げを解除すると、弾性部材３０、３０の付勢力にて固定部材２７を押上げて固定部材２７がベース板２の下端面に当接して止まる。このとき、調節機構１２及び加圧ローラ１０は溶接用ワイヤ交換前の矯正装置が調整済の状態になるので、ノブ２２による再調整を不要にできる。
【００２０】  本発明は、前記実施の形態に限定されるものではなく、例えば、レバー３４は押ボタン式にし、押ボタンと押下げ軸３５を一体に成形しても良く、また押下げ機構にストッパーを設けて押下げた状態を保持するようにしても良い。
【００２１】  以上のように本発明では、加圧ローラ１０の移動機構３１を有し、移動機構３１を操作することによって、弾性部材３０の付勢力に抗して加圧ローラ１０が受けローラ９から離れ、移動機構３１の操作を解除することによって、加圧ローラ１０が弾性部材３０の付勢力によって復帰するようにしたことにより、溶接用ワイヤを交換する際の再調整を不要にして、溶接用ワイヤの交換が容易にできる。
【００２２】  また、前記加圧ローラ１０を回転自在、かつ前記受けローラ９、９に接離自在に取付ける調整機構１２をベース１に取付ける固定部材２７を、前記弾性部材３０によって、加圧ローラ１０が受けローラ９に接近する方向に付勢したことにより、簡単な構成により、溶接用ワイヤを交換する際の再調整を不要にして、溶接用ワイヤの交換が容易にできる
【符号の説明】
【００２３】  １  ベース
９  受けローラ
１０  加圧ローラ
１２  調整機構
２７  固定部材
３０  弾性部材
３１  押下げ機構
【図１】
2017087290.tif 000003
【図２】
2017087290.tif 000004
【図３】
2017087290.tif 000005
【図４】
2017087290.tif 000006
【図５】
2017087290.tif 000007
【図６】
2017087290.tif 000008
【図７】
2017087290.tif 000009